(57)【要約】【課題】複数の携帯端末のそれぞれにおいて広告を表示可能とする。【解決手段】表示装置２００は、サーバ装置４００と通信を行なう装置であって、表示装置２００に接続中の各携帯端末１００Ａ、１００Ｂ、１００Ｃの機器情報を、各携帯端末１００Ａ、１００Ｂ、１００Ｃから収集する収集部２１と、収集した各機器情報をサーバ装置４００に送信する第１送信部２３と、各機器情報の送信に基づき、各携帯端末１００Ａ、１００Ｂ、１００Ｃの識別情報の各々に対応付けられた、広告を示す各広告情報を、サーバ装置４００から受信する受信部２４と、識別情報に対応付けられた広告情報の各々を、当該識別情報により特定される携帯端末１００Ａ、１００Ｂ、１００Ｃに送信する第２送信部２５とを備える。【選択図】図１０
2011090477.tif 000002
【特許請求の範囲】
【請求項１】
サーバ装置と通信を行なう情報処理装置であって、
前記情報処理装置に接続中の各電子機器の機器情報を、各前記電子機器から収集する収集手段と、
前記収集した各機器情報を前記サーバ装置に送信する第１送信手段と、
各前記機器情報の送信に基づき、各前記電子機器の識別情報の各々に対応付けられた、広告を示す各広告データを、前記サーバ装置から受信する受信手段と、
前記識別情報に対応付けられた前記広告データの各々を、当該識別情報により特定される前記電子機器に送信する第２送信手段とを備える、情報処理装置。
【請求項２】
前記収集手段は、前記電子機器のユーザの属性を示す属性情報を、各前記電子機器からさらに収集し、
前記第１送信手段は、前記電子機器毎の前記機器情報と前記属性情報とを対応付け、当該対応付けた各前記機器情報と各前記属性情報とを前記サーバ装置に送信し、
前記受信手段は、前記電子機器の識別情報に対応付けられた前記広告データとして、当該電子機器のユーザの属性を示す前記属性情報に基づいた内容を示した前記広告データを受信する、請求項１に記載の情報処理装置。
【請求項３】
前記情報処理装置は、
表示装置と、
前記情報処理装置の機器情報を格納した記憶装置とをさらに備え、
前記第１送信手段は、各前記電子機器の機器情報と、前記情報処理装置の機器情報とを前記サーバ装置に送信し、
前記受信手段は、前記情報処理装置の識別情報に対応付けられた、広告を示す広告データを、前記サーバ装置からさらに受信し、
前記表示装置は、前記情報処理装置の識別情報に対応付けられた前記広告データを表示する、請求項２に記載の情報処理装置。
【請求項４】
前記電子機器の機器情報の各々は、当該電子機器の表示機能に関連する関連情報を含み、
前記情報処理装置は、
前記電子機器の機器情報から前記関連情報と前記属性情報とを抽出する抽出手段をさらに備え、
前記第１送信手段は、前記電子機器の機器情報として、前記抽出された前記関連情報および前記属性情報を、前記サーバ装置に送信する、請求項３に記載の情報処理装置。
【請求項５】
情報処理装置と通信を行なうサーバ装置であって、
広告を示す広告データを複数格納している記憶装置と、
前記情報処理装置から、当該情報処理装置に接続中の各電子機器の機器情報を受信する受信手段と、
前記受信した各機器情報に基づいて、前記複数の広告データから、前記機器情報の各々について広告データを選択する選択手段と、
各前記機器情報に基づいた前記電子機器の識別情報の各々に対応付けて、前記選択された各広告データを前記情報処理装置へ送信する送信手段とを備える、サーバ装置。
【請求項６】
前記受信手段は、前記情報処理装置から、各前記電子機器の機器情報の各々に対応付けられた、各電子機器のユーザの属性を示す各属性情報をさらに受信し、
前記選択手段は、前記電子機器の機器情報の各々について、前記広告データとして、当該電子機器のユーザの属性を示す前記属性情報に基づいた内容を示した広告データを選択する、請求項５に記載のサーバ装置。
【請求項７】
前記機器情報は、前記電子機器の表示解像度を示した解像度情報を含み、
前記サーバ装置は、
前記機器情報における前記解像度情報を用いて、当該機器情報について前記選択された広告データの画像サイズを変更する変更手段をさらに備え、
前記送信手段は、前記広告データとして、前記変更後の広告データを送信する、請求項６に記載のサーバ装置。
【請求項８】
情報処理装置とサーバ装置とを備えた通信システムであって、
前記情報処理装置は、
前記情報処理装置に接続中の各電子機器の機器情報を、各前記電子機器から収集する収集手段と、
前記収集した各機器情報を前記サーバ装置に送信する第１送信手段とを備え、
前記サーバ装置は、
広告を示す広告データを複数格納している記憶装置と、
前記情報処理装置から、当該情報処理装置に接続中の各電子機器の機器情報を受信する受信手段と、
前記受信した各機器情報に基づいて、前記複数の広告データから、前記機器情報の各々について広告データを選択する選択手段と、
各前記機器情報に基づいた前記電子機器の識別情報の各々に対応付けて、前記選択された各広告データを前記情報処理装置へ送信する送信手段とを備え、
前記情報処理装置は、
各前記機器情報の送信に基づき、各前記電子機器の識別情報の各々に対応付けられた、広告を示す各広告データを、前記サーバ装置から受信する受信手段と、
前記識別情報に対応付けられた前記広告データの各々を、当該識別情報により特定される前記電子機器に送信する第２送信手段とをさらに備える、通信システム。
【請求項９】
前記通信システムは、さらに各前記電子機器を備え、
各前記電子機器は、
接続中の前記情報処理装置に対して前記機器情報を送信し、
当該機器情報の送信に基づいて、当該情報処理装置から前記広告データを受信する、請求項８に記載の通信システム。
【請求項１０】
サーバ装置と通信を行なう情報処理装置におけるデータ通信方法であって、
前記情報処理装置に接続中の各電子機器の機器情報を、各前記電子機器から収集するステップと、
前記収集した各機器情報を前記サーバ装置に送信するステップと、
各前記機器情報の送信に基づき、各前記電子機器の識別情報の各々に対応付けられた、広告を示す各広告データを、前記サーバ装置から受信するステップと、
前記識別情報に対応付けられた前記広告データの各々を、当該識別情報により特定される前記電子機器に送信するステップとを備える、データ通信方法。
【請求項１１】
サーバ装置と通信を行なう情報処理装置を制御するためのプログラムであって、
前記プログラムは、
前記情報処理装置に接続中の各電子機器の機器情報を、各前記電子機器から収集するステップと、
前記収集した各機器情報を前記サーバ装置に送信するステップと、
各前記機器情報の送信に基づき、各前記電子機器の識別情報の各々に対応付けられた、広告を示す各広告データを、前記サーバ装置から受信するステップと、
前記識別情報に対応付けられた前記広告データの各々を、当該識別情報により特定される前記電子機器に送信するステップとを前記情報処理装置に実行させる、プログラム。
【請求項１２】
サーバ装置と通信を行なう情報処理装置を制御するためのプログラムを記録したコンピュータ読み取り可能な記録媒体であって、
前記プログラムは、
前記情報処理装置に接続中の各電子機器の機器情報を、各前記電子機器から収集するステップと、
前記収集した各機器情報を前記サーバ装置に送信するステップと、
各前記機器情報の送信に基づき、各前記電子機器の識別情報の各々に対応付けられた、広告を示す各広告データを、前記サーバ装置から受信するステップと、
前記識別情報に対応付けられた前記広告データの各々を、当該識別情報により特定される前記電子機器に送信するステップとを前記情報処理装置に実行させる、コンピュータ読み取り可能な記録媒体。
【発明の詳細な説明】
【技術分野】
【０００１】
本発明は、情報処理装置、サーバ装置、通信システム、データ通信方法、プログラム、およびコンピュータ読み取り可能な記録媒体に関する。特に、広告情報を表示する情報処理装置、広告情報を送信するサーバ装置、当該情報処理装置と当該サーバ装置とを備える通信システム、当該情報処理装置におけるデータ通信方法、当該情報処理装置で実行されるプログラム、当該プログラムを記録したコンピュータ読み取り可能な記録媒体に関する。
【背景技術】
【０００２】
従来、ユーザの嗜好情報や位置情報などのユーザ情報を端末装置からサーバ装置に送信することにより、嗜好情報や位置情報に基づいた広告情報をサーバ装置から端末装置に配信する広告配信システムが知られている。
【０００３】
特許文献１には、上記広告配信システムとして、広告配信サービスに加入したユーザのユーザ情報と、当該ユーザの所有する家電機器の情報（端末装置の機器情報）を記憶したデータベースとを有した広告サービスシステムが開示されている。当該広告サービスシステムは、登録した家電機器からの広告の要求に際して当該家電機器の属性と一致する広告の情報を上記データベースを検索し、当該検索により得られた広告を発信する広告管理サーバと、当該広告管理サーバとネットワークを介して接続され、送られてきた広告を出力する家電機器とを備える。
【０００４】
特許文献２には、携帯端末を保持するユーザの場所や時間に応じて適切な広告を配信することを目的とした広告提供装置が開示されている。
【０００５】
特許文献３には、ホームサーバが機器に関する機器情報をセンターサーバに送信する構成を一部に備えた広告配信システムが開示されている。
【０００６】
特許文献４には、閲覧者であるユーザの嗜好とユーザの居る場所とに合わせた広告を提示することを目的とした広告配信システムが開示されている。
【０００７】
特許文献５には、広告が表示されていた時間（ユーザの広告閲覧時間）を計測する構成を一部に備えた広告配信システムが開示されている。
【０００８】
特許文献６には、検索された登録キーワードに対応付けられた広告情報を読み出し、当該広告情報をユーザ端末に送信する情報検索装置が開示されている。
【０００９】
特許文献７には、利用者の端末装置の種類に適する表示形式である広告データを付加した印刷データを生成することを目的とした印刷サーバ装置が開示されている。
【００１０】
特許文献８には、広告情報に基づいて行われる広告商品の購買に伴い携帯端末における購買証明情報入力画面を通じて受け付けられた商品情報を携帯端末より受信する広告配信サーバが開示されている。広告配信サーバは、商品情報に基づいてデータベースより該当商品を抽出し商品リストを作成し、商品リストを携帯端末に送信する。また、広告配信サーバは、商品リストより選択された選択商品および当該選択商品の購買証明情報を携帯端末より受信し、選択商品に対する購買証明情報の認証または購買に応じたポイント登録の処理を行なう。広告配信サーバは、処理結果を携帯端末に送信する。
【先行技術文献】
【特許文献】
【００１１】
【特許文献１】特開２００２−３１１８７０号公報
【特許文献２】特開２００２−１４９６８６号公報
【特許文献３】特開２００２−２９８０１４号公報
【特許文献４】特開２００３−００５６８６号公報
【特許文献５】特開２００５−０３７７５７号公報
【特許文献６】特開２００６−２４３８００号公報
【特許文献７】特開２００７−２３３８４８号公報
【特許文献８】特開２００８−２３４６６９号公報
【発明の概要】
【発明が解決しようとする課題】
【００１２】
特許文献１の広告サービスシステムは、広告管理サーバに対して広告の送信を要求することにより、広告管理サーバは、１つの家電機器に対して１つの広告を送信する。このため、広告サービスシステムは、１つの広告要求に対して、複数の家電機器において各家電機器に応じた広告を表示することはできない。また、特許文献２から特許文献８においても、１つの広告要求に対して、複数の家電機器において各家電機器に応じた広告を表示することはできない。
【００１３】
本願発明は上記問題点に鑑みなされたものであって、その目的は、複数の電子機器のそれぞれにおいて広告を表示可能とする情報処理装置、サーバ装置、通信システム、データ通信方法、プログラム、およびコンピュータ読み取り可能な記録媒体を提供することにある。
【課題を解決するための手段】
【００１４】
本発明のある局面に従うと、情報処理装置は、サーバ装置と通信を行なう情報処理装置であって、情報処理装置に接続中の各電子機器の機器情報を、各前記電子機器から収集する収集手段と、収集した各機器情報をサーバ装置に送信する第１送信手段と、各機器情報の送信に基づき、各電子機器の識別情報の各々に対応付けられた、広告を示す各広告データを、サーバ装置から受信する受信手段と、識別情報に対応付けられた広告データの各々を、当該識別情報により特定される電子機器に送信する第２送信手段とを備える。
【００１５】
好ましくは、収集手段は、電子機器のユーザの属性を示す属性情報を、各電子機器からさらに収集する。第１送信手段は、電子機器毎の機器情報と属性情報とを対応付け、当該対応付けた各機器情報と各属性情報とをサーバ装置に送信し、受信手段は、電子機器の識別情報に対応付けられた広告データとして、当該電子機器のユーザの属性を示す属性情報に基づいた内容を示した広告データを受信する。
【００１６】
好ましくは、情報処理装置は、表示装置と、情報処理装置の機器情報を格納した記憶装置とをさらに備える。第１送信手段は、各電子機器の機器情報と、情報処理装置の機器情報とをサーバ装置に送信する。受信手段は、情報処理装置の識別情報に対応付けられた、広告を示す広告データを、サーバ装置からさらに受信する。表示装置は、情報処理装置の識別情報に対応付けられた広告データを表示する。
【００１７】
好ましくは、電子機器の機器情報の各々は、当該電子機器の表示機能に関連する関連情報を含む。情報処理装置は、電子機器の機器情報から関連情報と属性情報とを抽出する抽出手段をさらに備える。第１送信手段は、電子機器の機器情報として、抽出された関連情報および属性情報を、サーバ装置に送信する。
【００１８】
本発明の他の局面に従うと、サーバ装置は、情報処理装置と通信を行なうサーバ装置であって、広告を示す広告データを複数格納している記憶装置と、情報処理装置から、当該情報処理装置に接続中の各電子機器の機器情報を受信する受信手段と、受信した各機器情報に基づいて、複数の広告データから、機器情報の各々について広告データを選択する選択手段と、各機器情報に基づいた電子機器の識別情報の各々に対応付けて、選択された各広告データを情報処理装置へ送信する送信手段とを備える。
【００１９】
好ましくは、受信手段は、情報処理装置から、各電子機器の機器情報の各々に対応付けられた、各電子機器のユーザの属性を示す各属性情報をさらに受信する。選択手段は、電子機器の機器情報の各々について、広告データとして、当該電子機器のユーザの属性を示す属性情報に基づいた内容を示した広告データを選択する。
【００２０】
好ましくは、機器情報は、電子機器の表示解像度を示した解像度情報を含む。サーバ装置は、機器情報における解像度情報を用いて、当該機器情報について選択された広告データの画像サイズを変更する変更手段をさらに備える。送信手段は、広告データとして、変更後の広告データを送信する。
【００２１】
本発明のさらに他の局面に従うと、通信システムは、情報処理装置とサーバ装置とを備えた通信システムであって、情報処理装置は、情報処理装置に接続中の各電子機器の機器情報を、各電子機器から収集する収集手段と、収集した各機器情報をサーバ装置に送信する第１送信手段とを備える。サーバ装置は、広告を示す広告データを複数格納している記憶装置と、情報処理装置から、当該情報処理装置に接続中の各電子機器の機器情報を受信する受信手段と、受信した各機器情報に基づいて、複数の広告データから、機器情報の各々について広告データを選択する選択手段と、各機器情報に基づいた電子機器の識別情報の各々に対応付けて、選択された各広告データを情報処理装置へ送信する送信手段とを備える。情報処理装置は、各機器情報の送信に基づき、各電子機器の識別情報の各々に対応付けられた、広告を示す各広告データを、サーバ装置から受信する受信手段と、識別情報に対応付けられた広告データの各々を、当該識別情報により特定される電子機器に送信する第２送信手段とをさらに備える。
【００２２】
好ましくは、通信システムは、さらに各電子機器を備える。各電子機器は、接続中の情報処理装置に対して機器情報を送信する。各電子機器は、当該機器情報の送信に基づいて、当該情報処理装置から広告データを受信する。
【００２３】
本発明のさらに他の局面に従うと、データ通信方法は、サーバ装置と通信を行なう情報処理装置におけるデータ通信制御方法であって、情報処理装置に接続中の各電子機器の機器情報を、各電子機器から収集するステップと、収集した各機器情報をサーバ装置に送信するステップと、各機器情報の送信に基づき、各電子機器の識別情報の各々に対応付けられた、広告を示す各広告データを、サーバ装置から受信するステップと、識別情報に対応付けられた広告データの各々を、当該識別情報により特定される電子機器に送信するステップとを備える。
【００２４】
本発明のさらに他の局面に従うと、プログラムは、サーバ装置と通信を行なう情報処理装置を制御するためのプログラムであって、プログラムは、情報処理装置に接続中の各電子機器の機器情報を、各電子機器から収集するステップと、収集した各機器情報をサーバ装置に送信するステップと、各機器情報の送信に基づき、各電子機器の識別情報の各々に対応付けられた、広告を示す各広告データを、サーバ装置から受信するステップと、識別情報に対応付けられた広告データの各々を、当該識別情報により特定される電子機器に送信するステップとを情報処理装置に実行させる。
【００２５】
本発明のさらに他の局面に従うと、コンピュータ読み取り可能な記録媒体は、サーバ装置と通信を行なう情報処理装置を制御するためのプログラムを記録したコンピュータ読み取り可能な記録媒体であって、プログラムは、情報処理装置に接続中の各電子機器の機器情報を、各電子機器から収集するステップと、収集した各機器情報をサーバ装置に送信するステップと、各機器情報の送信に基づき、各電子機器の識別情報の各々に対応付けられた、広告を示す各広告データを、サーバ装置から受信するステップと、識別情報に対応付けられた広告データの各々を、当該識別情報により特定される電子機器に送信するステップとを情報処理装置に実行させる。
【発明の効果】
【００２６】
複数の電子機器のそれぞれにおいて広告を表示可能となるといった効果を奏する。
【図面の簡単な説明】
【００２７】
【図１】通信システムの構成を示した図である。
【図２】携帯端末の外観を示した図である。
【図３】表示装置の外観を示した図である。
【図４】リモートコントローラの外観を示した図である。
【図５】サーバ装置の外観を示した図である。
【図６】携帯端末のハードウェア構成を示した図である。
【図７】表示装置のハードウェア構成を示した図である。
【図８】サーバ装置のハードウェア構成を示した図である。
【図９】携帯端末と表示装置との動作の概要を説明するための図である。
【図１０】表示装置の機能ブロックを説明するための図である。
【図１１】サーバ装置の機能ブロックを説明するための図である。
【図１２】要求信号Ｄ１のデータ構造の一例を示した図である。
【図１３】機器情報Ｄ２の一例として機器情報Ｄ２−Ａのデータ構造の一例を示した図である。
【図１４】要求信号Ｄ３のデータ構造の一例を示した図である。
【図１５】広告情報Ｄ４のデータ構造の一例を示した図である。
【図１６】広告情報Ｄ４−Ａのデータ構造の一例を示した図である。
【図１７】情報抽出テーブルＤ５のデータ構造の一例を示した図である。
【図１８】広告テーブルＤ６のデータ構造の一例を示した図である。
【図１９】通信システムにおけるシーケンスチャートである。
【図２０】表示装置における処理の流れを示したフローチャートである。
【図２１】携帯端末における処理の流れを示した図である。
【図２２】サーバ装置の処理の流れを示したフローチャートである。
【図２３】図２２におけるステップＳ３０４の詳細を示したフローチャートである。
【図２４】携帯端末の処理の流れを示したフローチャートである。
【図２５】表示装置の処理の流れを示したフローチャートである。
【図２６】表示装置の処理の流れを示した図である。
【図２７】携帯端末の処理の流れを示した図である。
【図２８】確認信号Ｄ７のデータ構造の一例を示した図である。
【図２９】接続中情報Ｄ８のデータ構造の一例を示した図である。
【発明を実施するための形態】
【００２８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２９】
本発明に係る通信システムの一実施態様について、図１から図２９を参照して説明すると以下のとおりである。
【００３０】
＜通信システムの構成＞
図１は、通信システムの構成を示した図である。図１を参照して、通信システム１は、携帯端末１００Ａと、携帯端末１００Ｂと、携帯端末１００Ｃと、表示装置２００（情報処理装置）と、リモートコントローラ３００と、サーバ装置４００とを備えている。なお、以下では、携帯端末１００Ａ、携帯端末１００Ｂ、および携帯端末１００Ｃにおける任意の携帯端末を、「携帯端末１００」として表記する。
【００３１】
携帯端末１００は、表示装置２００と近距離でデータ通信を行なう。なお、「近距離でデータ通信を行なう」とは、１ｍ〜１００ｍ程度の通信可能範囲（無線の場合は見通し距離）を持つ、主に家屋などの施設内での通信に限定された有線通信または無線通信を行なうことをいう。以下では、携帯端末１００が表示装置２００と無線通信を行なう例を挙げて説明する。具体的には、携帯端末１００が、表示装置２００との間で、ＩＥＥＥ８０２．１１ｇの規格に従った通信を行なう例を挙げて説明する。
【００３２】
なお、表示装置２００との間の無線通信としては、ＩＥＥＥ８０２．１１ｇの規格に従った通信に限定されず、Ｂｌｕｅｔｏｏｔｈ（登録商標）による通信、Ｚｉｇｂｅｅ（登録商標）による通信、赤外線通信、可視光通信、Ｗｉｂｒｅｅによる通信、ＵＷＢ（Ultra Wide Band）による通信などであってもよい。
【００３３】
また、以下では、携帯端末１００の一例として、携帯電話機を例に挙げて説明する。なお、携帯端末１００は、携帯電話機に限定されず、たとえば、ＰＤＡ（Personal Digital Assistant）、電子辞書、ＰＣ（Personal Computer）であってもよい。
【００３４】
表示装置２００は、上記のように、携帯端末１００と近距離でデータ通信を行なう。また、表示装置２００は、リモートコントローラ３００から制御信号を受信し、当該制御信号に応じた動作を実行する。さらに、表示装置２００は、サーバ装置４００とネットワークを介して接続されている。表示装置２００は、当該ネットワークを介して、サーバ装置４００から情報を取得する。表示装置２００は、無線あるいは有線によって当該ネットワークに接続している。
【００３５】
なお、以下では、表示装置２００の一例として、テレビを例に挙げて説明する。なお、表示装置２００は、テレビに限定されず、車載装置（カーナビゲーション）等であってもよい。
【００３６】
リモートコントローラ３００は、表示装置２００の動作を制御するための機器である。リモートコントローラ３００は、たとえば制御信号として赤外線を送信する。以下では、リモートコントローラ３００は、テレビのリモートコントローラとして説明する。
【００３７】
サーバ装置４００は、上述したように、ネットワークを介して表示装置２００と接続されている。以下では、サーバ装置４００が、ＰＣである場合を例に挙げて説明する。
【００３８】
＜機器の外観＞
図２は、携帯端末１００の外観を示した図である。図２を参照して、携帯端末１００は、少なくとも、モニタ１１７と、操作キー１２１とを備えている。
【００３９】
図３は、表示装置２００の外観を示した図である。図３を参照して、表示装置２００は、少なくともモニタ２１４を備えている。
【００４０】
図４は、リモートコントローラ３００の外観を示した図である。図４を参照して、リモートコントローラ３００は、少なくとも、操作キーとして、電源キー３１０、広告キー３１１を備えている。電源キー３１０は、表示装置２００の主電源の入り切りを制御するためのキーである。広告キー３１１については後述する。
【００４１】
図５は、サーバ装置４００の外観を示した図である。図５を参照して、サーバ装置４００は、少なくとも電源スイッチ（図示せず）を備えている。なお、図５においては、モニタは図示していない。
【００４２】
＜ハードウェア構成＞
（携帯端末１００）
図６は、携帯端末１００のハードウェア構成を示した図である。より詳しくは、図６は、携帯端末１００として機能するコンピュータシステムのハードウェア構成を表わすブロック図である。図６を参照して、携帯端末１００は、主たる構成要素として、アンテナ１１１と、ＲＦ（Radio Frequency）回路１１２と、ＢＢＰ（Baseband Processor）１１３と、プログラムを実行するＣＰＵ１１４と、ＣＰＵ１１４によるプログラムの実行により生成されたデータ、又は操作キー１２１を介して入力されたデータを格納するＲＡＭ１１５と、データを不揮発的に格納するＲＯＭ１１６と、モニタ１１７と、ＩＣ（Integrated Circuit）カードリーダライタ１１８と、マイク１１９と、スピーカ１２０と、携帯端末１００の使用者による指示の入力を受ける操作キー１２１と、無線ＬＡＮ（Local Area Network）回路１２２とを含む。
【００４３】
アンテナ１１１およびＲＦ回路１１２を除く各構成要素１１３〜１２２は、相互にデータバスによって接続されている。ＩＣカードリーダライタ１１８には、メモリカード１１８１が装着される。なお、以下では、ＲＡＭ１１５がフラッシュメモリ（不揮発性の半導体メモリ）である場合を例に挙げて説明する。
【００４４】
携帯端末１００における処理は、各ハードウェアおよびＣＰＵ１１４により実行されるソフトウェアによって実現される。このようなソフトウェアは、ＲＡＭ１１５またはＲＯＭ１１６に予め記憶されている場合がある。また、ソフトウェアは、メモリカード１１８１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ１１８その他の読取装置によりその記憶媒体から読み取られて、あるいは、通信ＩＦを介してダウンロードされた後、ＲＡＭ１１５に一旦格納される。そのソフトウェアは、ＣＰＵ１１４によってＲＡＭ１１５から読み出され、さらにＲＡＭ１１５に実行可能なプログラムの形式で格納される。ＣＰＵ１１４は、そのプログラムを実行する。
【００４５】
同図に示される携帯端末１００を構成する各構成要素は、一般的なものである。したがって、本発明の本質的な部分は、ＲＡＭ１１５、メモリカード１１８１その他の記憶媒体に格納されたソフトウェア、あるいはネットワークを介してダウンロード可能なソフトウェアであるともいえる。なお、携帯端末１００の各ハードウェアの動作は周知であるので、詳細な説明は繰り返さない。
【００４６】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。
【００４７】
ここでいうプログラムとは、ＣＰＵにより直接実行可能なプログラムだけでなく、ソースプログラム形式のプログラム、圧縮処理されたプログラム、暗号化されたプログラム等を含む。
【００４８】
（表示装置２００）
図７は、表示装置２００のハードウェア構成を示した図である。より詳しくは、図７は、表示装置２００として機能するコンピュータシステムのハードウェア構成を表わすブロック図である。図７を参照して、表示装置２００は、プログラムを実行するＣＰＵ２１１と、ＣＰＵ２１１によるプログラムの実行により生成されたデータを格納するＲＡＭ２１２と、データを不揮発的に格納するＲＯＭ２１３と、モニタ２１４と、ＩＣ（Integrated Circuit）カードリーダライタ２１５と、スピーカ２１６と、リモートコントローラ３００から送信される赤外線を受光する赤外線受光装置２１７と、無線ＬＡＮ回路２１８と、サーバ装置４００との通信に用いられる通信ＩＦ（Inter Face）２１８とを含む。なお、以下では、ＲＡＭ２１２がフラッシュメモリである場合を例に挙げて説明する。
【００４９】
表示装置２００における処理は、各ハードウェアおよびＣＰＵ２１１により実行されるソフトウェアによって実現される。このようなソフトウェアは、ＲＡＭ２１２またはＲＯＭ２１３に予め記憶されている場合がある。また、ソフトウェアは、メモリカード２１５１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ２１５その他の読取装置によりその記憶媒体から読み取られて、あるいは、通信ＩＦを介してダウンロードされた後、ＲＡＭ２１２に一旦格納される。そのソフトウェアは、ＣＰＵ２１１によってＲＡＭ２１２から読み出され、さらにＲＡＭ２１２に実行可能なプログラムの形式で格納される。ＣＰＵ２１１は、そのプログラムを実行する。
【００５０】
同図に示される表示装置２００を構成する各構成要素は、一般的なものである。したがって、本発明の本質的な部分は、ＲＡＭ２１２、メモリカード２１５１その他の記憶媒体に格納されたソフトウェア、あるいはネットワークを介してダウンロード可能なソフトウェアであるともいえる。なお、表示装置２００の各ハードウェアの動作は周知であるので、詳細な説明は繰り返さない。
【００５１】
なお、記録媒体としては、携帯端末１００で述べた記録媒体と同様の記録媒体を用いることができる。
【００５２】
（サーバ装置４００）
図８は、サーバ装置４００のハードウェア構成を示した図である。より詳しくは、図８は、サーバ装置４００として機能するコンピュータシステムのハードウェア構成を表わすブロック図である。図８を参照して、サーバ装置４００は、プログラムを実行するＣＰＵ４１１と、ＣＰＵ４１１によるプログラムの実行により生成されたデータを格納するＲＡＭ４１２と、データを不揮発的に格納するＲＯＭ４１３と、モニタ４１４と、ＤＶＤ−ＲＯＭ駆動装置４１５と、データを不揮発的に格納するＨＤＤ（Hard Disk Drive）と、表示装置２００との通信に用いられる通信ＩＦ４１８とを含む。
【００５３】
サーバ装置４００における処理は、各ハードウェアおよびＣＰＵ４１１により実行されるソフトウェアによって実現される。このようなソフトウェアは、ＲＯＭ２１３またはＨＤＤ４１６に予め記憶されている場合がある。また、ソフトウェアは、ＤＶＤ−ＲＯＭ４１５１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＤＶＤ−ＲＯＭ駆動装置４１５その他の読取装置によりその記憶媒体から読み取られて、あるいは、通信ＩＦを介してダウンロードされた後、ＨＤＤ４１６に一旦格納される。そのソフトウェアは、ＣＰＵ４１１によってＨＤＤ４１６から読み出され、ＲＡＭ４１２に実行可能なプログラムの形式で格納される。ＣＰＵ４１１は、そのプログラムを実行する。
【００５４】
同図に示されるサーバ装置４００を構成する各構成要素は、一般的なものである。したがって、本発明の本質的な部分は、ＨＤＤ４１６、ＤＶＤ−ＲＯＭ４１５１その他の記憶媒体に格納されたソフトウェア、あるいはネットワークを介してダウンロード可能なソフトウェアであるともいえる。なお、サーバ装置４００の各ハードウェアの動作は周知であるので、詳細な説明は繰り返さない。
【００５５】
なお、記録媒体としては、携帯端末１００で述べた記録媒体と同様の記録媒体を用いることができる。
【００５６】
＜動作概要＞
図９は、携帯端末１００と表示装置２００との動作の概要を説明するための図である。なお、以下では、説明を簡単にするために、携帯端末１００として、携帯端末１００Ａと携帯端末１００Ｂとを用いて説明する。
【００５７】
図９（ａ）は、表示装置２００のモニタ２１４と携帯端末１００Ａ、１００Ｂのモニタ１１７とに表示される画像の例を示した図である。図９（ａ）を参照して、表示装置２００は、モニタ２１４にテレビ映像を表示している。携帯端末１００Ａ、１００Ｂは、それぞれ、いわゆる待受画像をモニタ１１７に表示している。
【００５８】
図９（ａ）の状態において、リモートコントローラ３００の広告キー３１１（図４参照）が押下された場合、表示装置２００は、携帯端末１００Ａ、１００Ｂに対して機器情報（図１３参照）の送信を要求する要求信号（図１２参照）を送信する。
【００５９】
図９（ｂ）は、表示装置２００が携帯端末１００Ａ、１００Ｂに対して機器情報の送信を要求する要求信号を送信した後における、表示装置２００のモニタ２１４と携帯端末１００Ａ、１００Ｂのモニタ１１７とに表示される画像の例を示した図である。図９（ｂ）を参照して、表示装置２００は、接続中の携帯端末の機器情報を収集中であることを示した画像２１４１をモニタ２１４に表示する。なお、画像２１４１を示すための画像データは、表示装置２００のたとえばＲＡＭ２１２（図７参照）に予め格納されている。
【００６０】
携帯端末１００Ａ、１００Ｂは、携帯端末のユーザ情報（以下、「属性情報」と称する）を携帯端末の機器情報に含めて表示装置２００に送信する。携帯端末１００Ａ、１００Ｂは、機器情報とユーザ情報とを送信中であることを示す画像１１７１をモニタ１１７に表示する。なお、機器情報はユーザ情報を含んでいる必要は必ずしもなく、たとえば、機器情報がユーザ情報を含まず、かつ当該機器情報とユーザ情報とが対応付けられていてもよい。なお、画像１１７１を示すための画像データは、携帯端末１００のたとえばＲＡＭ１１５（図６参照）に予め格納されている。
【００６１】
表示装置２００は、携帯端末１００Ａ、１００Ｂから機器情報を収集した場合、サーバ装置４００に対して、各機器情報を送信する。さらに、表示装置２００は、各機器情報の送信に基づき、サーバ装置４００から、各携帯端末向けの広告情報と、表示装置２００向けの広告情報とを受信する。
【００６２】
図９（ｃ）は、表示装置２００が、各携帯端末向けの広告情報と表示装置２００向けの広告情報とを受信している場合における、表示装置２００のモニタ２１４と携帯端末１００Ａ、１００Ｂのモニタ１１７とに表示される画像の例を示した図である。図９（ｃ）を参照して、表示装置２００は、広告を取得中であることを示す画像２１４２をモニタ２１４に表示する。携帯端末１００Ａ、１００Ｂも、広告を取得中であることを示す画像１１７２をモニタ１１７に表示する。なお、画像２１４２を示すための画像データは、表示装置２００のたとえばＲＡＭ２１２に予め格納されている。画像１１７２を示すための画像データは、携帯端末１００のたとえばＲＡＭ１１５に予め格納されている。
【００６３】
表示装置２００は、各携帯端末向けの広告情報と表示装置２００向けの広告情報とを受信すると、各携帯端末向けの広告情報の各々を携帯端末１００Ａ、１００Ｂに送信する。つまり、表示装置２００は、携帯端末１００Ａ向けの広告情報を携帯端末１００Ａに送信し、携帯端末１００Ｂ向けの広告情報を携帯端末１００Ｂに送信する。
【００６４】
図９（ｄ）は、表示装置２００が各携帯端末向けの広告情報の各々を携帯端末１００Ａ、１００Ｂに送信した後の状態を示した図である。図９（ｄ）を参照して、携帯端末１００Ａは、広告情報を受信した場合、当該広告情報に基づいた広告をモニタ１１７に表示する。また、表示装置２００は、表示装置２００向けの広告情報に基づいた広告をモニタ２１４に表示する。
【００６５】
以上のように、表示装置２００と、携帯端末１００Ａと、携帯端末１００Ｂとでは、それぞれ異なる広告が表示されることになる。つまり、表示装置２００は、複数の携帯端末１００のそれぞれにおいて、広告をユーザが視認可能とする。それゆえ、表示装置２００は、１台の携帯端末にしか広告を送信しない構成に比べて、広告効果を高めることができる。
【００６６】
なお、図９（ｂ）、（ｃ）においては、ダイアログボックスとしての画像２１４１、１１７１、２１４２，１１７２を表示する構成を例に挙げて説明した。しかしながら、このような構成に限定されるものではない。たとえば、表示装置２００は、ダイアログボックスを表示することなく、テレビ映像を表示し続けてもよい。携帯端末１００Ａ、１００Ｂは、ダイアログボックスを表示せずに、待受画像を表示し続けてもよい。あるいは、携帯端末１００Ａ、１００Ｂは、ダイアログボックスを表示せずに、操作中の状態の画像を表示し続けてもよい。
【００６７】
以下、図９に基づいて示した、通信システム１に含まれる各機器１００、２００、３００、４００の動作を実現するための構成について説明する。
【００６８】
＜機能ブロック図＞
（表示装置２００）
図１０は、表示装置２００の機能ブロックを説明するための図である。図１０を参照して、表示装置２００は、記憶装置１０と、制御部２０と、モニタ２１４（表示装置）とを備えている。制御部２０は、収集部２１と、抽出部２２と、第１送信部２３と、受信部２４と、第２送信部２５とを備えている。
【００６９】
記憶装置１０は、ＲＡＭ２１２およびＲＯＭ２１３にて構成される（図７参照）。記憶装置１０は、予め、表示装置２００の機器情報を格納している。なお、記憶装置１０が格納する機器情報以外の情報については、後述する。
【００７０】
収集部２１は、表示装置２００に接続中の各携帯端末１００の機器情報を、各携帯端末から収集する。具体的には、収集部２１は、携帯端末の機器情報の送信を要求する要求信号（以下、「要求信号Ｄ１」と称する）を送信する。なお、収集部２１は、当該要求信号Ｄ１をブロードキャストする。収集部２１は、要求信号Ｄ１の送信に基づき、当該要求信号Ｄ１の応答信号として、各携帯端末１００から各機器情報を受信する。つまり、表示装置２００は、表示装置２００に接続中の携帯端末１００から当該携帯端末の機器情報を収集する。
【００７１】
なお、以下では、表示装置２００は、携帯端末１００Ａ、１００Ｂ、１００Ｃから、それぞれの機器情報を収集するものとして説明する。また、以下では、携帯端末１００から収集した機器情報を、「機器情報Ｄ２」と称する。より詳しくは、携帯端末１００Ａ、１００Ｂ、１００Ｃから収集した各機器情報を、それぞれ、「機器情報Ｄ２−Ａ」、「機器情報Ｄ２−Ｂ」（図示せず）、「機器情報Ｄ２−Ｃ」（図示せず）と称する。また、表示装置の機器情報を、「機器情報Ｄ２−Ｄ」（図示せず）と称する。
【００７２】
また、機器情報Ｄ２−Ａ、Ｄ２−Ｂ、Ｄ２−Ｃは、それぞれ、携帯端末の表示機能に関連する情報（以下、「関連情報」と称する）を含んでいる。機器情報Ｄ２−Ｄは、表示装置２００の表示機能に関連する情報（関連情報）を含んでいる。
【００７３】
抽出部２２は、機器情報Ｄ２−Ａ、Ｄ２−Ｂ、Ｄ２−Ｃの各々から、上記関連情報を抽出する。また、抽出部２２は、機器情報Ｄ２−Ａ、Ｄ２−Ｂ、Ｄ２−Ｃの各々から、上記属性情報を抽出する。具体的には、抽出部２２は、記憶装置１０に予め格納された情報抽出テーブルＤ５（図１７参照）に基づいて、上記関連情報および上記属性情報を抽出する。
【００７４】
抽出部２２において、機器情報Ｄ２−Ａ、Ｄ２−Ｂ、Ｄ２−Ｃ、Ｄ２−Ｄの各々から抽出された上記関連情報と上記属性情報とからなる情報を、それぞれ、「機器情報Ｄ２−Ａ′」、「機器情報Ｄ２−Ｂ′」、「機器情報Ｄ２−Ｃ′」、「機器情報Ｄ２−Ｄ′」と表記する。
【００７５】
第１送信部２３は、収集した各機器情報Ｄ２−Ａ、Ｄ２−Ｂ、Ｄ２−Ｃをサーバ装置４００に送信する。より詳しくは、第１送信部２３は、収集した各機器情報Ｄ２−Ａ、Ｄ２−Ｂ、Ｄ２−Ｃから抽出した各機器情報Ｄ２−Ａ′、Ｄ２−Ｂ′、Ｄ２−Ｃ′をサーバ装置４００に送信する。具体的には、第１送信部２３は、収集した各機器情報のうちの各関連情報と各属性情報と表示装置２００の機器情報とを含んだ要求信号（以下、「要求信号Ｄ３」と称する）を、サーバ装置４００に送信する。
【００７６】
受信部２４は、各機器情報Ｄ２−Ａ′、Ｄ２−Ｂ′、Ｄ２−Ｃ′の送信に基づき、各携帯端末の識別情報の各々に対応付けられた、広告を示す各広告情報（広告データ）を、サーバ装置４００から受信する。具体的には、受信部２４は、上記要求信号Ｄ３の送信に基づき、各携帯端末の識別情報の各々に対応付けられた広告情報（以下、「広告情報Ｄ４」と称する）を、サーバ装置４００から受信する。なお、広告データの一例として、広告画像を示す画像データがある。
【００７７】
第２送信部２５は、上記識別情報に対応付けられた広告情報の各々を、当該識別情報により特定される携帯端末１００に送信する。具体的には、第２送信部２５は、広告情報Ｄ４のうち携帯端末１００Ａ向けの広告情報（以下、「広告情報Ｄ４−Ａ」と称する）を、携帯端末１００Ａに送信する。また、第２送信部２５は、広告情報Ｄ４のうち携帯端末１００Ｂ向けの広告情報（以下、「広告情報Ｄ４−Ｂ」と称する）を、携帯端末１００Ｂに送信する。第２送信部２５は、広告情報Ｄ４のうち携帯端末１００Ｃ向けの広告情報（以下、「広告情報Ｄ４−Ｃ」と称する）を、携帯端末１００Ｃに送信する。
【００７８】
表示装置２００の各部が実行する処理について、より詳しく説明すると以下のとおりである。
【００７９】
収集部２１は、携帯端末１００のユーザの属性を示す属性情報（ユーザ情報）を、各携帯端末１００Ａ、１００Ｂ、１００Ｃから収集する。なお、上述したように、機器情報Ｄ２に属性情報が含まれる場合には、機器情報Ｄ２の収集により属性情報が収集される。
【００８０】
第１送信部２３は、携帯端末１００毎の機器情報Ｄ２と属性情報とを対応付け、上記要求信号Ｄ３として、当該対応付けた各機器情報Ｄ２−Ａ′、Ｄ２−Ｂ′、Ｄ２−Ｃ′と各属性情報とをサーバ装置４００に送信する。
【００８１】
受信部２４は、携帯端末１００の識別情報に対応付けられた上記広告情報（広告情報Ｄ４）として、当該携帯端末１００のユーザの属性を示す上記属性情報に基づいた内容を示した広告情報を受信する。
【００８２】
さらに、第１送信部２３は、各携帯端末１００の機器情報Ｄ２−Ａ′、Ｄ２−Ｂ′、Ｄ２−Ｃ′とともに、表示装置２００の機器情報Ｄ２−Ｄ′をサーバ装置４００に送信する。受信部２４は、表示装置２００の識別情報に対応付けられた、広告を示す広告情報をサーバ装置４００から受信する。表示装置２００は、表示装置２００の識別情報に対応付けられた上記広告情報をモニタ２１４に表示する。
【００８３】
なお、要求信号Ｄ１、機器情報Ｄ２、関連情報、要求信号Ｄ３、および広告情報Ｄ４の具体的なデータ構造については、後述する。
【００８４】
ところで、上記においては、抽出部２２によって関連情報を抽出した。このような抽出処理を行なう理由は、以下のとおりである。機器情報Ｄ２には、個人情報やＩＰ（Internet Protocol）アドレスといった、サーバ装置４００に送信することがセキュリティの確保の点から好ましくない情報も含まれている。そこで、当該情報についてはサーバ装置４００に送信しないように抽出部２２は機器情報Ｄ２から関連情報を抽出する。
【００８５】
また、表示装置２００は、抽出処理を行なうことにより、個人情報やＩＰアドレスといった情報をサーバ装置４００に送信せずに済む。それゆえ、表示装置２００は、サーバ装置４００に送信するデータのデータ量を減らすことができる。このため、表示装置２００は、ネットワークの効率的利用に役立つ。
【００８６】
（サーバ装置４００）
図１１は、サーバ装置４００の機能ブロックを説明するための図である。図１１を参照して、サーバ装置４００は、記憶装置６０と、制御部７０と、モニタ４１４（表示装置）とを備えている。制御部７０は、受信部７１と、選択部７２と、変更部７３と、送信部７４とを備えている。選択部７２は、データタイプ決定部７２１を含んでいる。
【００８７】
記憶装置６０は、ＲＡＭ４１２、ＲＯＭ４１３、およびＨＤＤ４１６にて構成される（図８参照）。記憶装置６０は、予め、複数の広告情報を格納している。なお、記憶装置６０が格納する広告情報以外の情報については、後述する。
【００８８】
受信部７１は、表示装置２００から、表示装置２００に接続中の各携帯端末１００Ａ、１００Ｂ、１００Ｃの機器情報Ｄ２−Ａ′、Ｄ２−Ｂ′、Ｄ２−Ｃ′を受信する。また、受信部７１は、表示装置２００から、表示装置の機器情報Ｄ２−Ｄ′を受信する。具体的には、受信部７１は、表示装置２００から、上述した要求信号Ｄ３を受信する。
【００８９】
選択部７２は、表示装置２００から受信した各機器情報Ｄ２−Ａ′、Ｄ２−Ｂ′、Ｄ２−Ｃ′、Ｄ２−Ｄ′に基づいて、記憶装置６０に格納した複数の広告情報から、機器情報Ｄ２−Ａ′、Ｄ２−Ｂ′、Ｄ２−Ｃ′、Ｄ２−Ｄ′の各々について広告情報を選択する。なお、詳細については後述するが、各機器情報Ｄ２−Ａ′、Ｄ２−Ｂ′、Ｄ２−Ｃ′は、それぞれ携帯端末１００Ａ、１００Ｂ、１００Ｃの表示解像度を示した解像度情報を含んでいる。また、機器情報Ｄ２−Ｄ′は、表示装置２００の表示解像度を示した解像度情報を含んでいる。
【００９０】
データタイプ決定部７２１は、携帯端末１００および表示装置２００に送信する広告情報のデータタイプ（たとえば、「ＪＰＥＧ」、「ＭＰＥＧ２」）を決定する。データタイプの判断手法については、後述する。
【００９１】
変更部７３は、機器情報Ｄ２における上記解像度情報を用いて、当該機器情報について選択部７２によって選択された広告情報のサイズ（画像サイズ）を変更する。
【００９２】
送信部７４は、各機器情報Ｄ２−Ａ′、Ｄ２−Ｂ′、Ｄ２−Ｃ′に基づいた携帯端末１００の識別情報の各々に対応付けて、選択部７２によって選択された各広告情報を表示装置２００へ送信する。また、送信部７４は、機器情報Ｄ２−Ｄ′に基づいた表示装置２００の識別情報に対応付けて、選択部７２によって選択された広告情報を表示装置２００へ送信する。具体的には、送信部７４は、当該各広告情報として、変更部７３による変換後の広告情報を表示装置２００へ送信する。つまり、送信部７４は、上述した広告情報Ｄ４を表示装置２００に送信する。
【００９３】
サーバ装置４００の各部が実行する処理について、より詳しく説明すると以下のとおりである。
【００９４】
受信部７１は、表示装置２００から、各携帯端末１００Ａ、１００Ｂ、１００Ｃの機器情報Ｄ２−Ａ′、Ｄ２−Ｂ′、Ｄ２−Ｃ′の各々に対応付けられた、各携帯端末のユーザの属性を示す各属性情報を受信する。選択部７２は、携帯端末１００の機器情報Ｄ２の各々について、上記広告情報として、記憶装置６０に格納された複数の広告情報から、当該携帯端末１００のユーザの属性を示す上記属性情報に基づいた内容を示した広告情報（広告情報Ｄ４−Ａ、Ｄ４−Ｂ、Ｄ４−Ｃ、Ｄ４−Ｄ）を選択する。
【００９５】
＜データ構造＞
図１２は、要求信号Ｄ１のデータ構造の一例を示した図である。つまり、図１２は、表示装置２００から携帯端末１００に送信する要求信号のデータ構造の一例を示した図である。図１２を参照して、ラベルの欄には、「信号種別」といった情報が書き込まれている。また、データの欄には、機器情報Ｄ２を要求する「機器情報要求命令」といった情報が書き込まれている。
【００９６】
図１３は、機器情報Ｄ２の一例として機器情報Ｄ２−Ａのデータ構造の一例を示した図である。つまり、図１３は、携帯端末１００Ａの機器情報のデータ構造例を示した図である。なお、上述したように、機器情報Ｄ２は上記属性情報を含んでいる。
【００９７】
図１３を参照して、ラベルの欄には、「ＩＰアドレス」、「解像度」、「カラー」、「デコード可能データ」、「インターネット接続」、「カメラ撮影」、「空きメモリ容量」、「ユーザ名」、「ユーザ属性」といった情報が書き込まれている。なお、「ユーザ属性」を示したデータが、上記属性情報に該当する。
【００９８】
ＩＰアドレスに対応するデータの欄には、携帯端末１００Ａのネットワーク上でのアドレスを示した情報が書き込まれている。解像度に対応するデータの欄には、携帯端末１００Ａのモニタ１１７の解像度情報が書き込まれている。カラーに対応するデータの欄には、携帯端末１００Ａのモニタ１１７で表現できる色がビット数として書き込まれている。
【００９９】
デコード可能データに対応するデータの欄には、携帯端末１００Ａでデコード可能なデータタイプが書き込まれている。インターネット接続に対応する欄には、携帯端末１００Ａがインターネットに接続可能であるか否かを示した情報が書き込まれている。カメラ撮影に対応するデータの欄には、携帯端末１００Ａがカメラ撮影可能であるか否かを示した情報が書き込まれている。空きメモリ容量に対応するデータの欄には、携帯端末１００Ａの空きメモリの容量を示した情報が書き込まれている。
【０１００】
ユーザ名に対応するデータの欄には、携帯端末１００Ａのユーザ名が書き込まれている。ユーザ属性に対応するデータの欄には、携帯端末１００Ａのユーザに関連する情報が書き込まれている。
【０１０１】
図１４は、要求信号Ｄ３のデータ構造の一例を示した図である。つまり、図１４は、表示装置２００からサーバ装置４００に送信する要求信号のデータ構造の一例を示した図である。図１４を参照して、要求信号Ｄ３は、表示装置２００の機器ＩＤと、表示装置２００の機器情報Ｄ２−Ｄ′と、携帯端末１００Ａの機器ＩＤと、携帯端末１００Ａの機器情報Ｄ２−Ａ′と、携帯端末１００Ｂの機器ＩＤと、携帯端末１００Ｂの機器情報Ｄ２−Ｂ′と、携帯端末１００Ｃの機器ＩＤと、携帯端末１００Ｃの機器情報Ｄ２−Ｃ′とを含んでいる。
【０１０２】
より詳しくは、要求信号Ｄ３は、各機器ＩＤと、機器情報Ｄ２−Ｄ′における上記関連情報と、各機器情報Ｄ２−Ａ′、Ｄ２−Ｂ′、Ｄ２−Ｃ′における上記関連情報および上記属性情報とを含んでいる。要求信号Ｄ３は、たとえば、上記関連情報として、機器情報Ｄ２−Ａ（図１３参照）における、「解像度」、「カラー」、および「デコード可能データ」に関する情報を含んでいる。
【０１０３】
なお、各機器情報Ｄ２−Ａ、Ｄ２−Ｂ、Ｄ２−Ｃにおける「インターネット接続」に関する情報を要求信号Ｄ３に含めてもよい。この場合、広告情報として、たとえば、インターネット上のアドレスを受信することが可能となる。
【０１０４】
図１５は、広告情報Ｄ４のデータ構造の一例を示した図である。つまり、図１５は、サーバ装置４００から表示装置２００に送信する広告情報のデータ構造の一例を示した図である。図１５を参照して、広告情報Ｄ４は、機器ＩＤの欄には、要求信号Ｄ３に含まれた機器ＩＤの情報が書き込まれる。データの欄には、各機器ＩＤが示す機器に関連付けて、サーバ装置４００で選択された広告情報が格納される。
【０１０５】
広告情報Ｄ４は、「概要．ｍｐ４」、「アクセスマップ．ｊｐｅｇ」、「クーポン．ｈｔｍｌ」、および「男の子玩具．ｓｖｇ」といった広告情報を含んでいる。また、広告情報Ｄ４は、表示装置２００向けの広告情報Ｄ４−Ｄが「概要．ｍｐ４」であり、携帯端末１００Ａ向けの広告情報Ｄ４−Ａが「アクセスマップ．ｊｐｅｇ」であり、携帯端末１００Ｂ向けの広告情報Ｄ４−Ｂが「クーポン．ｈｔｍｌ」であり、携帯端末１００Ｃ向けの広告情報Ｄ４−Ｃが「男の子玩具．ｓｖｇ」であることを示している。
【０１０６】
サーバ装置４００は、広告情報Ｄ４に含める広告情報の選択を、図１４に示した要求信号Ｄ３と、記憶装置６０に予め格納された広告テーブルＤ６（図１８参照）とを用いて行なう。当該選択方法の具体例については後述する。
【０１０７】
図１６は、広告情報Ｄ４−Ａのデータ構造の一例を示した図である。つまり、図１６は、表示装置２００から携帯端末１００Ａに送信する広告情報のデータ構造の一例を示した図である。図１６を参照して、広告情報Ｄ４−Ａのデータの欄には、広告情報Ｄ４（図１５参照）における携帯端末１００Ａに対応付けられたデータが格納される。
【０１０８】
図１７は、情報抽出テーブルＤ５のデータ構造の一例を示した図である。図１７を参照して、情報抽出テーブルＤ５は、データの欄に、機器情報Ｄ２から抽出すべき情報を示した情報が書き込まれている。詳しくは、情報抽出テーブルＤ５のデータの欄には、機器情報Ｄ２に含まれる情報であって、かつ要求信号Ｄ３（図１４参照）を生成するために必要な情報が書き込まれている。
【０１０９】
なお、要求信号Ｄ３の生成に「インターネット接続」の情報が必要となる場合には、情報抽出テーブルＤ５のデータの欄に「インターネット接続」といった情報を予め書き込んだ態様で表示装置２００を構成すればよい。
【０１１０】
図１８は、広告テーブルＤ６のデータ構造の一例を示した図である。図１８を参照して、広告テーブルＤ６には、広告名と、データタイプ（ファイル形式）と、ユーザ属性とが対応付けて書き込まれている。
【０１１１】
広告テーブルＤ６は、広告名が「アクセスマップ」である広告情報には、「ＨＴＭＬ」と「ＪＰＥＧ」といった２つのデータタイプのデータ（ファイル）があることを示している。また、当該広告情報には、ユーザ属性として、「運転好き」といったキーワードが対応付けられている。
【０１１２】
また、広告テーブルＤ６は、広告名が「クーポン」である広告情報には、「ＨＴＭＬ」と「ＪＰＥＧ」といった２つのデータタイプのデータがあることを示している。また、当該広告情報には、ユーザ属性として、「決裁権限あり」といったキーワードが対応付けられている。
【０１１３】
さらに、広告テーブルＤ６は、広告名が「男の子玩具」である広告情報には、「ＪＰＥＧ」と「ＳＶＧ」といった２つのデータタイプのデータがあることを示している。また、当該広告情報には、ユーザ属性として、「６歳以下の男の子」といったキーワードが対応付けられている。
【０１１４】
また、広告テーブルＤ６においては、優先順位が高い順に広告名が記されている。すなわち、広告テーブルＤ６では、「アクセスマップ」、「クーポン」、「男の子玩具」の順に優先順位が低くなる。言い換えれば、サーバ装置４００は、広告テーブルＤ６において優先順位が高い順に広告名が記されているとの認識の下、広告テーブルＤ６を用いた処理を行なう。
【０１１５】
さらに、広告テーブルＤ６におけるデータタイプの欄には、優先順位の高い順に、データタイプが記されている。すなわち、アクセスマップに関しては、「ＨＴＭＬ」、「ＪＰＥＧ」の順に優先順位が低くなる。言い換えれば、サーバ装置４００は、広告テーブルＤ６のデータタイプの欄において優先順位が高い順にデータタイプが記されているとの認識の下、広告テーブルＤ６を用いた処理を行なう。なお、「概要」は、当該ある１つの広告の概要を示すものである。広告テーブルＤ６における「概要」の利用方法については、後述する。
【０１１６】
なお、広告テーブルＤ６に含まれる、「アクセスマップ」、「クーポン」、「男の子玩具」等の各情報は、互いに関連性を有する情報であることが好ましい。つまり、アクセスマップ」、「クーポン」、「男の子玩具」等の各情報は、ある１つの広告を構成する情報であることが好ましい。あるいは、「アクセスマップ」、「クーポン」、「男の子玩具」等の各情報は、当該１つの広告に関連付けられた情報であってもよい。
【０１１７】
たとえば、広告テーブルＤ６は、ある店舗についての広告である。そして、広告テーブルＤ６では、「アクセスマップ」は、当該店舗へのアクセスマップである。また、「クーポン」は、当該店舗で利用可能なクーポンである。さらに、「男の子玩具」は、当該店舗で扱っている男の子用の玩具である。
【０１１８】
＜広告情報の選択処理＞
広告テーブルＤ６を用いた広告情報の選択方法の具体例について説明する。サーバ装置４００は、上述したように、図１４に示した要求信号Ｄ３と、図１８に示した広告テーブルＤ６とを用いて、記憶装置６０から表示装置２００に送信する広告情報を選択する。
【０１１９】
まず、携帯端末１００Ａ向けの広告情報の選択について説明する。広告テーブルＤ６における最も優先順位が高い「アクセスマップ」に対応付けられているユーザ属性は、「運転好き」である。図１４を参照して、要求信号Ｄ３における機器情報Ｄ２−Ａ′のデータ領域には、携帯端末１００Ａのユーザ属性として「運転好き」が含まれている。したがって、サーバ装置４００は、アクセスマップの広告情報を選択する。
【０１２０】
さらに、サーバ装置４００は、選択された広告情報が携帯端末１００Ａにおいてデコード可能であるか否かを、要求信号Ｄ３（図１４参照）における携帯端末１００Ａについての「デコード可能データ」のデータの欄に記載された情報に基づいて判断する。アクセスマップの広告情報のデータタイプは「ＨＴＭＬ」と「ＪＰＥＧ」とであり（図１８参照）、デコード可能データは、「ＪＰＥＧ」と「ＰＮＧ」と「ＭＰＥＧ２」と「ＭＰ４」とである（図１４参照）。
【０１２１】
それゆえ、サーバ装置４００は、データタイプが「ＪＰＥＧ」であるアクセスマップの広告情報であれば、携帯端末１００Ａにおいてデコード可能であると判断する。サーバ装置４００は、デコードが可能であると判断した場合、「ＪＰＥＧ」を、アクセスマップの広告情報のデータタイプと決定する。
【０１２２】
次に、携帯端末１００Ｂ向けの広告情報の選択について説明する。図１８を参照して、広告テーブルＤ６における最も優先順位が高い「アクセスマップ」に対応付けられているユーザ属性は、「運転好き」である。図１４を参照して、要求信号Ｄ３における機器情報Ｄ２−Ｂ′のデータ領域には、携帯端末１００Ｂのユーザ属性として「運転好き」が含まれていない。したがって、サーバ装置４００は、アクセスマップの広告情報を選択しない。
【０１２３】
再び図１８を参照して、広告テーブルＤ６における「アクセスマップ」の次に優先順位が高い「クーポン」に対応付けられているユーザ属性は、「決裁権限あり」である。再び図１４を参照して、要求信号Ｄ３における機器情報Ｄ２−Ｂ′のデータ領域には、携帯端末１００Ｂのユーザ属性として「決裁権限有り」が含まれている。したがって、サーバ装置４００は、クーポンの広告情報を選択する。
【０１２４】
さらに、サーバ装置４００は、選択された広告情報が携帯端末１００Ｂにおいてデコード可能であるか否かを、要求信号Ｄ３（図１４参照）における携帯端末１００Ｂについての「デコード可能データ」のデータの欄に記載された情報に基づいて判断する。クーポンの広告情報のデータタイプは「ＨＴＭＬ」と「ＪＰＥＧ」とであり（図１８参照）、デコード可能データは、「ＪＰＥＧ」と「ＰＮＧ」と「ＨＴＭＬ」とである（図１４参照）。
【０１２５】
それゆえ、サーバ装置４００は、データタイプが「ＪＰＥＧ」または「ＨＴＭＬ」であるアクセスマップの広告情報であれば、携帯端末１００Ｂにおいてデコード可能であると判断する。ここで、図１８のクーポンに関しては、上述したように、「ＨＴＭＬ」が「ＪＰＥＧ」よりも優先順位が高いため、サーバ装置４００は、デコードが可能であると判断した場合、優先順位の高い「ＨＴＭＬ」を、アクセスマップの広告情報のデータタイプと決定する。
【０１２６】
次に、携帯端末１００Ｃ向けの広告情報の選択について説明する。図１８を参照して、広告テーブルＤ６における最も優先順位が高い「アクセスマップ」に対応付けられているユーザ属性は、「運転好き」である。図１４を参照して、要求信号Ｄ３における機器情報Ｄ２−Ｃ′に対応するデータ領域には、携帯端末１００Ｃのユーザ属性として「運転好き」が含まれていない。したがって、サーバ装置４００は、アクセスマップの広告情報を選択しない。また、再び図１８を参照して、要求信号Ｄ３における機器情報Ｄ２−Ｃ′のデータ領域には、携帯端末１００Ｃのユーザ属性として「決裁権限あり」が含まれていない。したがって、サーバ装置４００は、クーポンの広告情報を選択しない。
【０１２７】
広告テーブルＤ６における「クーポン」の次に優先順位が高い「男の子玩具」に対応付けられているユーザ属性は、「６歳以下の男の子」である。再び図１４を参照して、要求信号Ｄ３における機器情報Ｄ２−Ｃ′のデータ領域には、携帯端末１００Ｃのユーザ属性として「５歳」および「男性」が含まれている。したがって、サーバ装置４００は、ユーザ属性が「６歳以下の男の子」を満たすと判断し、男の子玩具の広告情報を選択する。
【０１２８】
さらに、サーバ装置４００は、選択された広告情報が携帯端末１００Ｃにおいてデコード可能であるか否かを、要求信号Ｄ３（図１４参照）における携帯端末１００Ｃについての「デコード可能データ」のデータの欄に記載された情報に基づいて判断する。男の子玩具の広告情報のデータタイプは「ＪＰＥＧ」と「ＳＶＧ」とであり（図１８参照）、デコード可能データは、「ＨＴＭＬ」と「ＳＶＧ」とである（図１４参照）。
【０１２９】
それゆえ、サーバ装置４００は、データタイプが「ＳＶＧ」である男の子玩具の広告情報であれば、携帯端末１００Ｃにおいてデコード可能であると判断する。サーバ装置４００は、デコードが可能であると判断した場合、「ＳＶＧ」を、男の子玩具の広告情報のデータタイプと決定する。
【０１３０】
なお、サーバ装置４００は、「アクセスマップ」、「クーポン」、「男の子玩具」といった「概要」以外の広告名が選択できなかった場合、サーバ装置４００は、「概要」の広告情報を選択する。
【０１３１】
次に、表示装置２００向けの広告情報の選択について説明する。要求信号Ｄ３（図１４参照）における表示装置２００の欄には、ユーザ属性が記載されていない。このため、表示装置２００向けの広告情報の選択においては、サーバ装置４００は、ユーザ属性を参照しない。サーバ装置４００は、表示装置２００向けの広告情報として、「概要」の広告情報を選択する。
【０１３２】
この場合、表示装置２００は、「概要」を示した広告を表示することができる。したがって、携帯端末１００の各ユーザも、表示装置２００のモニタ２１４を介して、各携帯端末１００で表示された広告の概要を示した情報を確認することができる。
【０１３３】
なお、表示装置２００向けの広告情報の選択方法は、方法は一例であって、上記に限定されるものではない。たとえば、以下のようにしてもよい。図１８を参照して、広告テーブルＤ６における最も優先順位が高い「アクセスマップ」のデータタイプは、「ＨＴＭＬ」と「ＪＰＥＧ」とである。図１４を参照して、要求信号Ｄ３における機器情報Ｄ２−Ｄ′のデータ領域には、表示装置２００についての「デコード可能データ」のデータとして、「ＪＰＥＧ」と「ＰＮＧ」と「ＭＰＥＧ２」と「Ｈ２６４」とが書き込まれている。
【０１３４】
それゆえ、サーバ装置４００は、データタイプが「ＪＰＥＧ」であるアクセスマップの広告情報であれば、表示装置２００においてデコード可能であると判断する。したがって、サーバ装置４００は、表示装置２００向けの広告情報としてアクセスマップの広告情報を選択するとともに、「ＪＰＥＧ」を当該アクセスマップの広告情報のデータタイプと決定する。このような構成によれば、サーバ装置４００は、デコード可能な広告情報のうちで優先順位が最も高い広告情報を、表示装置２００向けの広告情報として選択することができる。
【０１３５】
以上のように、サーバ装置４００は、各携帯端末１００のユーザの属性に沿った広告を選択する。このため、各携帯端末１００は、ユーザにとって広告効果の高い広告を受信することができる。これにより、通信システム１では、たとえば、上述したように決裁権限のあるユーザにはクーポンの広告を送信することにより、広告効果を高めることができる。
【０１３６】
また、通信システム１では、表示装置２００にも表示装置用の広告を表示することができる。したがって、各携帯端末１００の各ユーザが表示装置２００に表示された広告をさらに見ることにより、各ユーザが表示装置２００に表示された広告について情報を共有することができる。それゆえ、各ユーザが、たとえば当該広告の内容について意見を述べ合うことができる。
【０１３７】
＜シーケンス＞
図１９は、通信システム１におけるシーケンスチャートである。図１９を参照して、表示装置２００は、要求信号Ｄ１（図１２参照）を、各携帯端末１００Ａ、１００Ｂ、１００Ｃに送信する。携帯端末１００Ａ、１００Ｂ、１００Ｃは、上記要求信号Ｄ１を受信したことに基づき、それぞれ、機器情報Ｄ２−Ａ、Ｄ２−Ｂ、Ｄ２−Ｃを表示装置２００に送信する。
【０１３８】
表示装置２００は、機器情報Ｄ２−Ａ、Ｄ２−Ｂ、Ｄ２−Ｃを受信したことに基づき、要求信号Ｄ３（図１４参照）をサーバ装置４００に送信する。サーバ装置４００は、要求信号を受信したことに基づき、広告情報Ｄ４（図１５参照）を表示装置２００に送信する。
【０１３９】
表示装置２００は、広告情報Ｄ４を受信したことに基づき、広告情報Ｄ４−Ａを携帯端末１００Ａに送信する。また、表示装置２００は、広告情報Ｄ４−Ｂを携帯端末１００Ｂに送信する。さらに、表示装置２００は、広告情報Ｄ４−Ｃを携帯端末１００Ｃに送信する。
【０１４０】
＜フローチャート＞
図２０は、表示装置２００における処理の流れを示したフローチャートである。より詳しくは、図２０は、表示装置２００がリモートコントローラ３００から広告要求指示を受け付けた場合における処理の流れを示したフローチャートである。つまり、図２０は、リモートコントローラ３００においてユーザが広告キー３１１を押下した場合における表示装置２００の処理の流れを示したフローチャートである。
【０１４１】
図２０を参照して、表示装置２００は、広告要求指示を受け付けたことに基づき、ステップＳ１０２において、接続中の携帯端末１００の機器情報Ｄ２の送信を要求する要求信号Ｄ１を携帯端末１００に送信する。表示装置２００は、ステップＳ１０４において、機器情報Ｄ２を受信したか否かを判断する。
【０１４２】
表示装置２００は、機器情報Ｄ２を受信したと判断した場合（ステップＳ１０４においてＹＥＳ）、ステップＳ１０６において、受信した機器情報Ｄ２を記憶装置１０に格納する。表示装置２００は、機器情報Ｄ２を受信していないと判断した場合（ステップＳ１０４においてＮＯ）、処理をステップＳ１０８に進める。
【０１４３】
表示装置２００は、ステップＳ１０８において、要求信号Ｄ１を送信してから一定時間（たとえば３秒）経過したか否かを判断する。なお、表示装置２００は、内蔵しているタイマ（図示せず）により上記経過時間の判断を行なう。
【０１４４】
表示装置２００は、一定時間経過したと判断した場合（ステップＳ１０８においてＹＥＳ）、ステップＳ１１０において、機器情報Ｄ２から広告取得に必要な情報を抽出する。表示装置２００は、一定時間経過していないと判断した場合（ステップＳ１０８においてＮＯ）、処理をステップＳ１０４に進める。
【０１４５】
表示装置２００は、ステップＳ１１２において、サーバ装置４００に対して、広告情報を要求する要求信号Ｄ３を送信する。表示装置２００は、ステップＳ１１４において、広告情報Ｄ４を受信したか否かを判断する。表示装置２００は、広告情報Ｄ４を受信したと判断した場合（ステップＳ１１４においてＹＥＳ）、ステップＳ１１６において、接続中の各携帯端末１００に携帯端末毎の広告情報Ｄ４−Ａ、Ｄ４−Ｂ、Ｄ４−Ｃを送信する。表示装置２００は、広告情報Ｄ４を受信していないと判断した場合（ステップＳ１１４においてＮＯ）、処理をステップＳ１１４に進める。
【０１４６】
表示装置２００は、ステップＳ１１８において、接続中の全ての携帯端末１００に広告情報を送信したか否かを判断する。表示装置２００は、全ての携帯端末１００に広告情報を送信したか否かの判断を、機器情報Ｄ２に含まれる機器ＩＤを用いて行なう。なお、用いる情報は、機器ＩＤに限定されず、携帯端末１００を識別できる情報であればよい。
【０１４７】
表示装置２００は、広告情報を送信したと判断した場合（ステップＳ１１８においてＹＥＳ）、ステップＳ１２０において、受信した広告情報Ｄ４に表示装置２００用の広告情報が含まれているか否かを判断する。表示装置２００は、広告情報を未だ送信していないと判断した場合（ステップＳ１１８においてＮＯ）、処理をステップＳ１１６に進める。
【０１４８】
表示装置２００は、表示装置２００用の広告情報が含まれていると判断した場合（ステップＳ１２０においてＹＥＳ）、ステップＳ１２２において、当該広告情報に基づく表示を行なう。表示装置２００は、表示装置２００用の広告情報が含まれていないと判断した場合（ステップＳ１２０においてＮＯ）、一連の処理を終了する。
【０１４９】
図２１は、携帯端末１００における処理の流れを示した図である。図２１を参照して、携帯端末１００は、ステップＳ２０２において、機器情報Ｄ２の送信を要求する要求信号Ｄ１を表示装置２００から受信したか否かを判断する。
【０１５０】
携帯端末１００は、要求信号Ｄ１を受信したと判断した場合（ステップＳ２０２においてＹＥＳ）、ステップＳ２０４において、機器情報Ｄ２の送信を許可する入力を、携帯端末１００の操作キー１２１を介して受け付けたか否かを判断する。つまり、携帯端末１００は、ユーザから、機器情報Ｄ２を送信する指示を受け付けたか否かを判断する。携帯端末１００は、要求信号Ｄ１を受信していないと判断した場合（ステップＳ２０２においてＮＯ）、処理をステップＳ２０２に進める。
【０１５１】
携帯端末１００は、入力を受け付けたと判断した場合（ステップＳ２０４においてＹＥＳ）、ステップＳ２０６において、表示装置２００に機器情報Ｄ２を送信する。携帯端末１００は、入力を受け付けていないと判断した場合（ステップＳ２０４においてＮＯ）、処理をステップＳ２０２に進める。
【０１５２】
携帯端末１００は、ステップＳ２０８において、当該携帯端末１００向けの広告情報（たとえば、広告情報Ｄ４−Ａ）を受信したか否かを判断する。携帯端末１００は、携帯端末１００向けの広告情報を受信したと判断した場合（ステップＳ２０８においてＹＥＳ）、当該広告情報に基づいてモニタ１１７に広告を表示する。携帯端末１００は、携帯端末１００向けの広告情報を受信していないと判断した場合（ステップＳ２０８においてＮＯ）、処理をステップＳ２０８に進める。
【０１５３】
図２２は、サーバ装置４００の処理の流れを示したフローチャートである。図２２を参照して、サーバ装置４００は、ステップＳ３０２において、広告情報を要求する要求信号Ｄ３を表示装置２００から受信したか否かを判断する。
【０１５４】
サーバ装置４００は、要求信号Ｄ３を受信したと判断した場合（ステップＳ３０２においてＹＥＳ）、ステップＳ３０４において、記憶装置６０に格納している広告情報に基づいて、送信用の広告情報Ｄ４を作成する。サーバ装置４００は、要求信号Ｄ３を受信していないと判断した場合（ステップＳ３０２においてＮＯ）、処理をステップＳ３０２に進める。サーバ装置４００は、ステップＳ３０６において、作成した広告情報Ｄ４を表示装置２００に送信する。
【０１５５】
図２３は、図２２におけるステップＳ３０４の詳細を示したフローチャートである。図２３を参照して、サーバ装置４００は、ステップＳ４０２において、表示装置２００から受信した要求信号Ｄ３を解析する。サーバ装置４００は、ステップＳ４０４において、各携帯端末１００向けの広告情報を全て含めた広告情報Ｄ４を作成したか否かを判断する。
【０１５６】
サーバ装置４００は、広告情報Ｄ４を作成したと判断した場合（ステップＳ４０４においてＹＥＳ）、処理を終了する。サーバ装置４００は、広告情報Ｄ４を作成していないと判断した場合（ステップＳ４０４においてＮＯ）、ステップＳ４０６において、機器情報のユーザ属性に基づいて広告テーブルＤ６から広告情報を選択する。
【０１５７】
サーバ装置４００は、ステップＳ４０８において、広告テーブルＤ６から選択された広告情報のデータタイプに携帯端末１００が対応しているか否かを判断する。サーバ装置４００は、対応していると判断した場合（ステップＳ４０８においてＹＥＳ）、ステップＳ４１０において、携帯端末１００のデコード可能データと広告テーブルＤ６とから当該携帯端末１００向けの広告情報のデータタイプを決定する。サーバ装置４００は、対応していないと判断した場合（ステップＳ４０８においてＮＯ）、処理をステップＳ４０６に進める。
【０１５８】
サーバ装置４００は、ステップＳ４１２において、携帯端末１００の解像度に基づいてデータタイプが決定された広告情報のサイズを変更する。詳しくは、サーバ装置４００は、携帯端末１００の機器情報Ｄ２に基づいて、携帯端末１００のモニタ１１７の解像度サイズに最適なサイズに上記広告情報のサイズを変更する。
【０１５９】
たとえば、記憶装置６０に予め格納されている「アクセスマップ」のデータ解像度（画像サイズ）が８００ｐｉｘｃｅｌ×６００ｐｉｘｃｅｌであるとする。この場合、携帯端末１００Ａの解像度は６４０ｐｉｘｃｅｌ×４８０ｐｉｘｃｅｌであるため（図１３参照）、サーバ装置４００は、「アクセスマップ」の広告情報をワークエリアに読み出し、当該読み出した広告情報のサイズを８００ｐｉｘｃｅｌ×６００ｐｉｘｃｅｌから６４０ｐｉｘｃｅｌ×４８０ｐｉｘｃｅｌに変更する。
【０１６０】
サーバ装置４００は、ステップＳ４１４において、機器情報に含まれる機器ＩＤと、サイズ変更後の広告情報とを対応付けて記憶装置６０に格納する。
【０１６１】
＜変形例＞
（１）表示装置２００を以下のように構成してもよい。携帯端末１００からの機器情報Ｄ２を待ち続け、携帯端末１００の電源が投入されたときや、携帯端末１００が宅内の無線ＬＡＮに繋がったときなどの携帯端末１００が機器情報Ｄ２を送信可能となったときに、表示装置２００は、携帯端末１００から機器情報Ｄ２を取得する。表示装置２００は、当該取得した機器情報Ｄ２を記憶装置１０に予め格納する。以下、図２４から図２９に基づいて具体的に説明する。
【０１６２】
図２４は、携帯端末１００の処理の流れを示したフローチャートである。図２４を参照して、携帯端末１００は、ステップＳ５０２において、機器情報Ｄ２の送信が可能な状態であるか否かを判断する。たとえば、携帯端末１００は、無線ＬＡＮに接続したか否かを判断する。携帯端末１００は、機器情報Ｄ２の送信が可能な状態であると判断した場合（ステップＳ５０２においてＹＥＳ）、ステップＳ５０４において、表示装置２００に機器情報Ｄ２を送信する。
【０１６３】
なお、携帯端末１００の電源が投入されたことをトリガーとして、表示装置２００に携帯端末１００の機器情報Ｄ２を送信するときには、携帯端末１００は、「機器情報Ｄ２の送信が可能となったか否か」の判断を行なうことなく、電源投入に基づき機器情報Ｄ２を送信すればよい。
【０１６４】
図２５は、表示装置２００の処理の流れを示したフローチャートである。図２５を参照して、表示装置２００は、ステップＳ６０２において、携帯端末１００の機器情報Ｄ２を受信したか否かを判断する。表示装置２００は、機器情報Ｄ２を受信したと判断した場合（ステップＳ６０２においてＹＥＳ）、ステップＳ６０４において、受信した機器情報Ｄ２を記憶装置１０に格納する。表示装置２００は、機器情報Ｄ２を受信していないと判断した場合（ステップＳ６０２においてＮＯ）、処理をステップＳ６０２に進める。
【０１６５】
以上により、表示装置２００は、携帯端末１００から取得した機器情報Ｄ２を記憶装置１０に格納することができる。
【０１６６】
ところで、上記のように機器情報Ｄ２が記憶装置１０に格納されている場合、図２０に示した表示装置２００の処理ステップにおいて、ステップＳ１０２〜ステップＳ１０８の処理（図２０における破線で示した領域Ｍ１に含まれるステップ）は行なう必要がない。表示装置２００は、ステップＳ１０２〜ステップＳ１０８の代わりに、図２６に示す処理を行なえばよい。
【０１６７】
図２６は、表示装置２００の処理の流れを示した図である。図２６を参照して、表示装置２００は、ステップＳ７０２において、接続を確認するための確認信号Ｄ７（図２８参照）を携帯端末１００に送信する。表示装置２００は、ステップＳ７０４において、携帯端末１００が表示装置２００に接続中であることを示す接続中情報Ｄ８（図２９参照）を受信したか否かを判断する。
【０１６８】
表示装置２００は、接続情報を受信したと判断した場合（ステップＳ７０４においてＹＥＳ）、ステップＳ７１０において、サーバ装置４００に送信する、広告情報を要求する要求信号Ｄ３に、接続中の携帯端末の機器情報Ｄ２を含める。表示装置２００は、ステップＳ７１０の後、処理をステップＳ７０８に進める。表示装置２００は、接続情報を受信していないと判断した場合（ステップＳ７０４においてＮＯ）、ステップＳ７０６において、確認信号を送信してから一定時間経過したか否かを判断する。
【０１６９】
表示装置２００は、一定時間経過したと判断した場合（ステップＳ７０６においてＹＥＳ）、ステップＳ７０８において、全ての携帯端末１００に接続確認信号を送信済みであるか否かを判断する。表示装置２００は、全ての携帯端末１００に接続確認信号を送信済みであると判断した場合（ステップＳ７０８においてＹＥＳ），処理を終了する。表示装置２００は、全ての携帯端末１００に接続確認信号を送信済みでないと判断した場合（ステップＳ７０８においてＮＯ）、処理をステップＳ７０２に進める。
【０１７０】
図２７は、携帯端末１００の処理の流れを示した図である。図２７を参照して、携帯端末１００は、ステップＳ８０２において、接続を確認するための確認信号Ｄ７を受信したか否かを判断する。携帯端末１００は、確認信号Ｄ７を受信したと判断した場合（ステップＳ８０２においてＹＥＳ）、ステップＳ８０４において、接続中であることを示す接続中情報Ｄ８を表示装置２００に送信する。携帯端末１００は、確認信号Ｄ７を受信していないと判断した場合（ステップＳ８０２においてＮＯ）、処理をステップＳ８０２に進める。
【０１７１】
図２８は、確認信号Ｄ７のデータ構造の一例を示した図である。図２８を参照して、ラベルの欄には、「信号種別」といった情報が書き込まれている。また、データの欄には、携帯端末１００との接続を確認するための「接続確認命令」といった情報が書き込まれている。
【０１７２】
図２９は、接続中情報Ｄ８のデータ構造の一例を示した図である。図２９を参照して、ラベルの欄には、「信号種別」といった情報が書き込まれている。また、データの欄には、表示装置２００と接続中であることを示す「接続中」といった情報が書き込まれている。
【０１７３】
（２）ところで、上記においては、表示装置２００が、機器情報Ｄ２（図１３参照）を取得し、当該機器情報Ｄ２から広告情報の取得に必要な情報を抽出した。しかしながら、このように表示装置２００が広告の取得に必要な情報を抽出するのではなく、表示装置２００が広告の取得に必要な情報の送信を携帯端末１００に指示する構成としてもよい。
【０１７４】
このような構成により、表示装置２００は、携帯端末１００から送信される機器情報Ｄ２から広告の取得に必要な情報を抽出する処理を行なう必要がなくなる。
【０１７５】
（３）図１７に示した情報抽出テーブルＤ５は、たとえば、表示装置２００の工場出荷時に表示装置２００の記憶装置１０に格納すればよい。あるいは、表示装置２００がサーバ装置４００に広告情報の送信を要求する前に、サーバ装置４００との間で情報抽出テーブルに含める情報を決定し、当該決定した情報を情報抽出テーブルに含める構成としてもよい。
【０１７６】
（４）図２０に示したフローチャートでは、表示装置２００は、ステップＳ１１８において全ての携帯端末１００に広告情報を送信した後に、モニタ２１４に表示装置２００向けの広告を表示した。しかしながら、このような構成に限定されるものではなく、モニタ２１４に表示装置２００向けの広告を表示した後に、携帯端末１００に広告情報を送信するように表示装置２００を構成としてもよい。
【０１７７】
（５）上記においては、リモートコントローラ３００の広告キー３１１が押下されたことをトリガーとして、表示装置２００は、携帯端末１００Ａ、１００Ｂに対して機器情報の送信を要求する要求信号を送信した。しかしながら、これに限定されるものではない。たとえば、表示装置２００に接続中の携帯端末１００が予め定められた要求信号を送信したことや、表示装置２００の電源を投入したことをトリガーとしてもよい。
【０１７８】
（６）上記においては、情報処理装置の一例として表示装置２００を挙げて説明しているが、これに限定されるものではない。たとえば、情報処理装置として画像出力端子を有するＳＴＢ（Set Top Box）を用いてもよい。なお、この場合、表示用のテレビとＳＴＢとを接続して、当該テレビに情報処理装置用の広告を表示すればよい。
【０１７９】
（７）今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１８０】
１  通信システム、１０  記憶装置、２０  制御部、２１  収集部、２２  抽出部、２３  送信部、２４  受信部、２５  送信部、６０  記憶装置、７０  制御部、７１  受信部、７２  選択部、７３  変更部、７４  送信部、１００  携帯端末、１００Ａ  携帯端末、１００Ｂ  携帯端末、１００Ｃ  携帯端末、１１７  モニタ、２００  表示装置、２１４  モニタ、２１７  赤外線受光装置、３００  リモートコントローラ、３１１  広告キー、４００  サーバ装置、４１４  モニタ、７２１  データタイプ決定部。
【図１】
2011090477.tif 000003
【図２】
2011090477.tif 000004
【図３】
2011090477.tif 000005
【図４】
2011090477.tif 000006
【図５】
2011090477.tif 000007
【図６】
2011090477.tif 000008
【図７】
2011090477.tif 000009
【図８】
2011090477.tif 000010
【図９】
2011090477.tif 000011
【図１０】
2011090477.tif 000012
【図１１】
2011090477.tif 000013
【図１２】
2011090477.tif 000014
【図１３】
2011090477.tif 000015
【図１４】
2011090477.tif 000016
【図１５】
2011090477.tif 000017
【図１６】
2011090477.tif 000018
【図１７】
2011090477.tif 000019
【図１８】
2011090477.tif 000020
【図１９】
2011090477.tif 000021
【図２０】
2011090477.tif 000022
【図２１】
2011090477.tif 000023
【図２２】
2011090477.tif 000024
【図２３】
2011090477.tif 000025
【図２４】
2011090477.tif 000026
【図２５】
2011090477.tif 000027
【図２６】
2011090477.tif 000028
【図２７】
2011090477.tif 000029
【図２８】
2011090477.tif 000030
【図２９】
2011090477.tif 000031